(57)【要約】【課題】  信号の入出力系統の判別が容易であると共に、機器の追加、変更が柔軟、且つ速やかに出来る系統切替装置を提供する。【解決手段】  プラグＰｏｕｔ、Ｐｉｎに噛合して信号のバイパス、挿入を行うジャックＪ１、Ｊ２からなるパッチ部ＰＰをフロントパネルＦＰに取り付け、内蔵したリレースイッチＲＳにより切替えられる現用および予備の系統信号の入力コネクタＣＮＩ１、ＣＮＩ２と出力コネクタＣＮＯとを背面パネルＢＰに取り付けた切替ユニットＳＵを系統切替装置のシャーシＣｈに装着する。【選択図】  図１
2006238179.tif 000002
【特許請求の範囲】
【請求項１】
入力される第１、第２の系統の放送用の信号のいずれか一方の系統を内蔵するリレースイッチで選択して出力する切替ユニットにおいて、
前記第１、第２の系統の信号の各入力コネクタと、前記各コネクタから入力された信号が入力され、前記入力されるいずれか一方の信号を選択する前記リレースイッチから出力された信号の出力コネクタとが取り付けられた背面パネルと、
それぞれがプラグが挿入された場合に前記挿入されたプラグのピンが接続されるコモン端子と、前記プラグが挿入されていない場合、前記コモン端子に接続されるノーマルクローズ端子とを有する２つのジャックからなり、第１の前記ジャックおよび第２の前記ジャックの両前記ノーマルクローズ端子の間が接続され、第１の前記ジャックの前記コモン端子が前記第１の系統の信号の前記入力コネクタに接続されると共に、第２の前記ジャックの前記コモン端子が前記リレースイッチの一方の入力端子に接続されるパッチ部が取り付けられたフロントパネルと、
一方の入力端子に前記第２のジャックのコモン端子が接続され、他方の入力端子に前記第２の系統の信号の前記入力コネクタが接続され、出力端子が前記背面パネルの前記出力コネクタへ接続され、前記いずれか一方の入力端子に入力された信号を制御信号により切替えて前記出力端子に出力するリレースイッチとを具備する
ことを特徴とする切替ユニット。
【請求項２】
前記第１の系統は現用系の信号が伝送される系統であり、
前記リレースイッチは、電源が印加されてメイクとなり前記第２の系統を予備系として出力する前記制御信号が入力されることを特徴とする請求項１記載の切替ユニット。
【請求項３】
前記制御信号は、前記フロントパネルに設けられたコネクタから入力されることを特徴とする請求項２記載の切替ユニット。
【請求項４】
入力される第１、第２の系統の放送用の信号のいずれか一方の系統を内蔵するリレースイッチで選択して出力する切替ユニットの切替方法において、
前記切替ユニットは、
前記第１、第２の系統の信号の各入力コネクタと出力コネクタとが取り付けられた背面パネルと、
リレースイッチと、
パッチ部が取り付けられたフロントパネルとを具備し、
前記パッチ部は、それぞれがプラグが挿入された場合に前記挿入されたプラグのピンが接続されるコモン端子と、前記プラグが挿入されていない場合に前記コモン端子に接続されるノーマルクローズ端子とを有する２つのジャックからなり、第１の前記ジャックおよび第２の前記ジャックの両前記のノーマルクローズ端子の間が接続され、第１の前記ジャックの前記コモン端子が前記第１の系統の信号の前記入力コネクタに接続されると共に、第２の前記ジャックの前記コモン端子が前記リレースイッチの一方の入力端子に接続され、
前記スイッチリレーの他方の入力端子は、前記第２の系統の信号の入力コネクタに接続され、制御信号により前記いずれか一方の入力端子に入力された信号を前記出力コネクタへ出力する信号を切替える制御が行われることを特徴とする切替方法。
【請求項５】
前記第１の系統は現用系の信号が伝送される系統であり、
前記リレースイッチは、電源が印加されてメイクとなり前記第２の系統を予備系として出力する前記制御信号が入力されることを特徴とする請求項４記載の切替方法。
【請求項６】
前記制御信号は、前記フロントパネルに設けられたコネクタから入力されることを特徴とする請求項４記載の切替方法。
【請求項７】
放送局において信号を入出力する機材や回線系統を第１または、第２の系統に切り換える切替ユニットと、前記切替ユニットを収納するシャーシとからなる系統切替装置において、
前記第１、および前記第２の系統を構成する機材毎、または前記第１、および前記第２の系統を構成する回線毎に準備され、リレースイッチと、前記第１、第２の系統の信号の入力コネクタおよび前記各入力コネクタから入力された信号のいずれか１つが前記リレースイッチを介して出力される出力コネクタとが取り付けられた背面パネルと、それぞれがプラグが挿入された場合に前記挿入されたプラグのピンが接続されるコモン端子と前記プラグが挿入されていない場合前記コモン端子に接続されるノーマルクローズ端子とを有する２つのジャックとからなり、第１の前記ジャックおよび第２の前記ジャックの両前記のノーマルクローズ端子の間が接続され、第１の前記ジャックの前記コモン端子が前記第１の系統の前記入力コネクタと接続されると共に、第２の前記ジャックの前記コモン端子が前記リレースイッチの一方の前記入力端子に接続されるパッチ部が取り付けられたフロントパネルと、一方の入力端子に前記第２のジャックのコモン端子が接続され、他方の入力端子に前記第２の系統の信号の前記入力コネクタが接続され、出力端子が前記背面パネルの前記出力コネクタへ接続され、前記いずれか一方の入力端子に入力された信号を制御信号により切替えて前記出力端子に出力するリレースイッチとを有する切替ユニットを少なくとも１つと、
前記切替ユニットが装着されるスロットを複数備えたシャーシとを具備する
ことを特徴とする系統切替装置。
【請求項８】
前記第１の系統は現用系の信号が伝送される系統であり、
前記リレースイッチは、電源が印加されてメイクとなり前記第２の系統を予備系として出力する前記制御信号が入力されることを特徴とする請求項７記載の系統切替装置。
【請求項９】
前記制御信号は、前記フロントパネルに設けられたコネクタから入力されることを特徴とする請求項７記載の系統切替装置。
【発明の詳細な説明】
【技術分野】
【０００１】
本発明は、デジタル放送番組信号を切替る系統切替装置、および切替ユニットならびにその切替方法に関する。
【背景技術】
【０００２】
公共放送などの営業放送システムでは、伝送路や装置の異常発生時に予備系への切替や保守作業が円滑に行われる様に系統の２重化を行い、更に２つの系統間での系統接続が可能なように、系統切替スイッチとケーブル接続先を様々に設定できる様、中継端子を並べ、その中継端子間をＵリンクで接続するパッチパネルが用いられる。
【０００３】
Ｕリンクを使ったパネルは、各系統の接続に融通性が高いものの、接続が複雑になりオペレータが混乱する場合もあり、また、パネル面が広い面を必要とすることから系統の切替スイッチと中継端子を１つのケースに収容したユニットにして用いる信号系統分配装置が有る。（例えば、特許文献１参照。）。
【０００４】
しかし、この方法に於いても、中継端子では切替を行っている系統の信号点検を出来るが、ユニットで切替えを行っている以外の他の系統へ信号をバイパスしたり、取り込むことが出来ない問題があった。
【特許文献１】特開２００１−８４５２１号公報  （第６頁、第６図）
【発明の開示】
【発明が解決しようとする課題】
【０００５】
従来の営業放送システムでは、信号伝送系統の冗長接続の融通性を持たせるためのパッチパネルは、パネルサイズが広くなるか、または、小型化を図った構造では、バイパスや他系統信号の取り込みが不十分な問題があった。
【０００６】
本発明は上記問題を解決するためになされたもので、信号の入出力系統の判別が容易であると共に、機器の追加、変更が柔軟、且つ速やかに出来る系統切替装置を提供することを目的とする。
【課題を解決するための手段】
【０００７】
上記目的を達成するために、本発明の切替ユニットは、入力される第１、第２の系統の放送用の信号のいずれか一方の系統を内蔵するリレースイッチで選択して出力する切替ユニットにおいて、前記第１、第２の系統の信号の各入力コネクタと、前記各コネクタから入力された信号が入力され、前記入力されるいずれか一方の信号を選択する前記リレースイッチから出力された信号の出力コネクタとが取り付けられた背面パネルと、それぞれがプラグが挿入された場合に前記挿入されたプラグのピンが接続されるコモン端子と、前記プラグが挿入されていない場合、前記コモン端子に接続されるノーマルクローズ端子とを有する２つのジャックからなり、第１の前記ジャックおよび第２の前記ジャックの両前記ノーマルクローズ端子の間が接続され、第１の前記ジャックの前記コモン端子が前記第１の系統の信号の前記入力コネクタに接続されると共に、第２の前記ジャックの前記コモン端子が前記リレースイッチの一方の入力端子に接続されるパッチ部が取り付けられたフロントパネルと、一方の入力端子に前記第２のジャックのコモン端子が接続され、他方の入力端子に前記第２の系統の信号の前記入力コネクタが接続され、出力端子が前記背面パネルの前記出力コネクタへ接続され、前記いずれか一方の入力端子に入力された信号を制御信号により切替えて前記出力端子に出力するリレースイッチとを具備することを特徴とする。
【０００８】
また、本発明の切替ユニットの切替方法は、入力される第１、第２の系統の放送用の信号のいずれか一方の系統を内蔵するリレースイッチで選択して出力する切替ユニットの切替方法において、前記切替ユニットは、前記第１、第２の系統の信号の各入力コネクタと出力コネクタとが取り付けられた背面パネルと、リレースイッチと、パッチ部が取り付けられたフロントパネルとを具備し、前記パッチ部は、それぞれがプラグが挿入された場合に前記挿入されたプラグのピンが接続されるコモン端子と、前記プラグが挿入されていない場合に前記コモン端子に接続されるノーマルクローズ端子とを有する２つのジャックからなり、第１の前記ジャックおよび第２の前記ジャックの両前記のノーマルクローズ端子の間が接続され、第１の前記ジャックの前記コモン端子が前記第１の系統の信号の前記入力コネクタに接続されると共に、第２の前記ジャックの前記コモン端子が前記リレースイッチの一方の入力端子に接続され、前記スイッチリレーの他方の入力端子は、前記第２の系統の信号の入力コネクタに接続され、制御信号により前記いずれか一方の入力端子に入力された信号を前記出力コネクタへ出力する信号を切替える制御が行われることを特徴とする。
【０００９】
更にまた本発明の系統切替装置は、放送局において信号を入出力する機材や回線系統を第１または、第２の系統に切り換える切替ユニットと、前記切替ユニットを収納するシャーシとからなる系統切替装置において、前記第１、および前記第２の系統を構成する機材毎、または前記第１、および前記第２の系統を構成する回線毎に準備され、リレースイッチと、前記第１、第２の系統の信号の入力コネクタおよび前記各入力コネクタから入力された信号のいずれか１つが前記リレースイッチを介して出力される出力コネクタとが取り付けられた背面パネルと、それぞれがプラグが挿入された場合に前記挿入されたプラグのピンが接続されるコモン端子と前記プラグが挿入されていない場合前記コモン端子に接続されるノーマルクローズ端子とを有する２つのジャックとからなり、第１の前記ジャックおよび第２の前記ジャックの両前記のノーマルクローズ端子の間が接続され、第１の前記ジャックの前記コモン端子が前記第１の系統の前記入力コネクタと接続されると共に、第２の前記ジャックの前記コモン端子が前記リレースイッチの一方の前記入力端子に接続されるパッチ部が取り付けられたフロントパネルと、一方の入力端子に前記第２のジャックのコモン端子が接続され、他方の入力端子に前記第２の系統の信号の前記入力コネクタが接続され、出力端子が前記背面パネルの前記出力コネクタへ接続され、前記いずれか一方の入力端子に入力された信号を制御信号により切替えて前記出力端子に出力するリレースイッチとを有する切替ユニットを少なくとも１つと、前記切替ユニットが装着されるスロットを複数備えたシャーシとを具備することを特徴とする。
【発明の効果】
【００１０】
本発明によれば、信号の入出力系統の判別が容易であると共に、機器の追加、変更が柔軟、且つ速やかに出来る系統切替装置を提供できる。
【発明を実施するための最良の形態】
【００１１】
以下、図面を参照して本発明の実施例を説明する。
【実施例】
【００１２】
図１は、それぞれ本発明の実施例に係る切替ユニットの外観図、図２は、切替ユニットを収容した系統切替装置の外観図、図３は、切替ユニットの内部系統図の１例である。  
以下、図１、図２を参照して切替ユニットの構成と動作について説明する。
【００１３】
図１において切替ユニットＳは、フロントパネルＦＰにジャックＪ１、Ｊ２を備えたパッチ部ＰＰと、コネクタＣＮＣが取り付けられ、背面パネルにコネクタＣＮＩ１、ＣＮＩ２、ＣＮＯが取り付けられ、コネクタＣＮＩ１、ＣＮＩ２から入力される２つの系統の信号、またはジャックＪ２から入力される信号を切替えてコネクタＣＮＯへ出力するリレースイッチＲＳを具備している。
【００１４】
図２に、切替ユニットＳＵは、必要に応じて、系統切替装置のシャーシｃｈへ複数装着される事により多くの機器毎に系統を切替えることが出来るようにしている。即ち、これらの切替ユニットは、例えば、現用のＶＴＲと予備用のＶＴＲ、または、現用中継回線と予備用の中継回線の様に２重系構成の機器、または回線毎に使用されるので、シャーシＣｈへの装着数は放送局のシステムの増設や変更に応じて増減される。
【００１５】
図３において、切替ユニットＳＵは、系統信号を切り換える為の背面パネルＢＰに取り付けられた系統信号を入出力する複数のコネクタとリレースイッチの系統切替部と、フロントパネルＦＰに取り付けられたパッチ部を組み合わせることにより、小型化と、アクセス性、切替系統のわかりやすさを実現している。
【００１６】
即ち、背面パネルＢＰのコネクタＣＩ１から入力された信号は、パッチ部ＰＰを介してリレースイッチＲＳのノーマルコンタクト接点の入力端子ＮＣへ接続される。また、同じくコネクタＣＩ２から入力された信号は、リレースイッチＲＳのノーマルオープン接点の入力端子ＮＯに接続される。リレースイッチＲＳは、フロントパネルＦＰに取り付けられたコネクタＣＮＣから入力されるリレーのメイク、ブレークを制御する制御信号に従い、動作する。
【００１７】
ここでは、コネクタＣＮＩ１に接続される系統が主に現用系として使用されるものとしており、パッチ部ＰＰを介してリレーに接続され、予備系が接続されるコネクタＣＩ２に入力される系統はパッチ部は省略されている。予備系もパッチ処理を行う場合は、現用系統と同様のパッチ部を備えた切替ユニット構成としても良い。
【００１８】
また、停電発生時の影響を避けるため、現用系は、電源がオフ状態でも信号が出力されるリレースイッチＲＳのノーマルコンタクト（ブレーク状態）接続が行われる。
【００１９】
さて、パッチ部ＰＰは、プラグＰｏｕｔ、Ｐｉｎが挿入されるそれぞれジャックＪ１、Ｊ２の２つを備え、両ジャックＪ１、Ｊ２の接点構造は、プラグが挿入されていない場合、コモン入力端子Ｃに入力された信号は、ノーマルクローズのピン接点のノーマルクローズ端子ＮＣへ出力される。この２つのジャックＪ１、Ｊ２のノーマルクローズ端子ＮＣとの間は接続されているので、２つのジャックにプラグが挿入されていない場合は、コネクタＣＮＩ１に入力された信号は、ジャックＪ１のコモン端子Ｃ、ジャックＪ１とＪ２のノーマルクローズ端子ＮＣを通り、ジャックＪ２のコモン端子Ｃを介して出力され、リレースイッチＲＳの入力端子ＮＣへ入力される。そしてリレースイッチＲＳがコネクタＣＮＣを介して入力される制御信号によりブレーク状態に設定されていれば、コネクタＣＮＩ１からの信号がコネクタＣＮＯへ出力される。（もし、リレースイッチＲＳがメイク状態に設定されれば、コネクタＣＮＩ２から入力された信号が、コネクタＣＮＯへ出力される。
【００２０】
図４は、リレースイッチＲＳがブレーク状態でパッチ部ＰＰのＪ１にコネクタが挿入された場合の切替ユニットの内部接続図である。  
図４において、パッチ部ＰＰのＪ１にプラグＰｏｕｔが挿入された場合は、コネクタＣＮＩ１に入力された信号は、プラグＰｏｕｔを介して外部機器へ入力される一方、ノーマルクローズ端子ＮＣへは出力されないのでコネクタＣＮＯの出力は無出力状態になる。
【００２１】
図５は、リレースイッチＲＳがブレーク状態でパッチ部ＰＰのＪ２にコネクタが挿入される場合の切替ユニットの内部接続図である。  
図５において、リレースイッチＲＳがブレーク状態で、パッチ部ＰＰのジャック２へプラグＰｉｎが挿入され外部機器から信号が入力された場合、外部機器からの信号がジャックＪ２のコモン端子ＣからリレースイッチＲＳの入力端子ＮＣへ出力され、その信号がコネクタＣＮＯを介して外部へ出力される。従って、この場合は、現用系が外部機器からの信号をパッチ入力して系統出力を行うことになる。
【００２２】
図６は、リレースイッチＲＳがメイク状態でパッチ部ＰＰのＪ１にプラグＰｏｕｔが挿入される場合の切替ユニットの内部接続図である。  
図６において、コネクタＣＮＩ１から入力された信号は、ジャック１に挿入されたプラグＰｏｕｔへ出力される一方、コネクタＣＮＩ２から入力される予備系の信号が、リレースイッチＲＳを介してコネクタＣＮＯから外部へ出力される。
【００２３】
現用系が故障した場合、リレースイッチＲＳをメイク状態に制御することにより、予備系に切替えながら現用系からの信号をジャック１を介して出力して点検することができる。また、予備系に切替えない場合でも、現用系からの信号をプラグＰｏｕｔから出力して点検をしながら同時に、プラグＰｉｎとジャック２を経て外部機器から信号を速やかに入力して放送信号を継続して出力できる。
【００２４】
この切替ユニットＵＳは、図３に示される如く、パッチが全てフロントパネルから実施できるので作業性、およびスペースファクタが良い。また、パッチが必要なチャネルに応じて切替ユニットＵＳを系統切替装置のシャーシＣｈに組み込めば良く、チャネルの割当もユニットが特定されているのでオペレータもパッチの操作対象の判別が容易である。
【００２５】
また、切替ユニットＳＵを収容するシャーシＣｈ側の空きスロット等にバックパネル配線を予め施しておく必要は無く、増設が必要になった時に切替ユニットＳＵを空きスロットに装着して接続ケーブルを直接コネクタＣＮＩ１等に接続するだけでよい。
【００２６】
以上説明した如く、本発明によれば、プラグに噛合して信号の接続、断を行うジャックからなるパッチ部をフロントパネルに取り付け、リレースイッチにより切替えられる現用および予備の系統信号の入出力コネクタを背面パネルに取り付けた分散配置としている。そして、パッチ部と系統切替を行う回路部とを組み合わせることによって、小型化とアクセス性に優れたユニットを必要数のみシャーシに装着する構造とすることにより、信号の入出力系統の判別が容易であると共に、機器の追加、変更が柔軟、且つ速やかに出来る系統切替装置および切替ユニットを提供することが出来る。
【図面の簡単な説明】
【００２７】
【図１】本発明の実施例に係わる切替ユニットの外観図。
【図２】本発明の実施例に係る切替ユニットを収容した系統切替装置の外観図。
【図３】本発明の実施例に係る切替ユニットの内部系統図。
【図４】外部へ現用系信号を出力するジャックにプラグが挿入された場合の切替ユニットの内部接続図。
【図５】外部から現用系へ信号を入力するジャックにプラグが挿入された場合の切替ユニットの内部接続図。
【図６】予備系の信号を出力する場合の切替ユニットの内部接続図。
【符号の説明】
【００２８】
ＢＰ  背面パネル
Ｃｈ  シャーシ
ＣＮＩ１、ＣＮＩ２、ＣＮＯ、ＣＮＣ  コネクタ
ＦＰ  フロントパネル
Ｊ１、Ｊ２  ジャック
Ｐｉｎ、Ｐｏｕｔ  プラグ
ＰＰ  パッチ部
ＲＳ  リレースイッチ
ＳＵ  切替ユニット
【図１】
2006238179.tif 000003
【図２】
2006238179.tif 000004
【図３】
2006238179.tif 000005
【図４】
2006238179.tif 000006
【図５】
2006238179.tif 000007
【図６】
2006238179.tif 000008